(57)【特許請求の範囲】
【請求項１】
画像形成条件に従って画像を形成する画像形成装置において、
第１画像形成条件、及び第１画像形成条件とは異なる第２画像形成条件で画像の形成を開始するために、前記第２画像形成条件に関連付けられている複数の第１画像形成条件に夫々対応して設けられている操作手段と、該操作手段に対応する位置に夫々設けられ、該操作手段に対応する第１画像形成条件及び前記第２画像形成条件で画像を形成するための料金の金額を表示する表示手段とを備え、
前記第２画像形成条件の入力を受け付ける手段と、該入力を受け付けたとき、前記表示手段に表示される金額を、前記第１画像形成条件及び前記入力を受け付ける前の第２画像形成条件で画像を形成するための料金の金額から、前記第１画像形成条件及び入力された第２画像形成条件で画像を形成するための料金の金額へ変更する手段とを更に備え、
前記表示手段に金額が表示されている場合に前記操作手段の操作及び前記受け付ける手段による前記入力の受け付けの両方が実行可能にしてあることを特徴とする画像形成装置。
【請求項２】
前記操作手段又は該操作手段の近傍に、該操作手段に対応する第１画像形成条件が表示してあることを特徴とする請求項１に記載の画像形成装置。
【請求項３】
画像形成条件に従って画像を形成できるか否かを判断する手段を備え、該手段が前記第１画像形成条件、前記第２画像形成条件、及び／又は前記第１画像形成条件と前記第２画像形成条件との両方と異なる第３画像形成条件で画像を形成できると判断した場合に第１表示を行ない、前記第１画像形成条件、前記第２画像形成条件、及び／又は前記第３画像形成条件で画像を形成できないと判断した場合に前記第１表示とは異なる第２表示を行なう表示用手段を、前記操作手段に対応させて備えることを特徴とする請求項１又は２に記載の画像形成装置。
【請求項４】
前記操作手段及び前記表示手段はタッチパネルを用いて構成してあることを特徴とする請求項１乃至３の何れかに記載の画像形成装置。
【発明の詳細な説明】
【０００１】
【発明の属する技術分野】
本発明は、用紙に画像を形成するための画像形成装置に関する。
【０００２】
【従来の技術】
従来、画像形成装置（例えばカラーコピー機）は、形成される画像の色、倍率、若しくは濃度等、又は、画像を形成する用紙のサイズ若しくは枚数等の画像形成条件の入力を受け付け、入力された画像形成条件に従って、用紙に画像を形成する。
また、公共施設又はコンビニエンスストア等に設置されている画像形成装置を用いる場合、ユーザは、一般に現金又はプリペイドカード等で画像形成のための料金を徴収される。
【０００３】
図７は、従来の画像形成装置の模式的正面図であり、図８は、前記画像形成装置の操作部の拡大図である。
該画像形成装置は、例えばデジタルカラーコピー機であり、給紙ユニット３００と、該給紙ユニット３００の上部に配置されたプリンタユニット２００及び該プリンタユニット２００の上部に配置され、コピーすべき原稿が載置されたとき該原稿の読み取りを行なうスキャナ部１１０を有する本体部２１１と、前記スキャナ部１１０の上部に配置され、１枚又は複数枚のシート状の原稿をスキャナ部１１０へ自動的に順次送り込む原稿搬送部１１２とを備える。
【０００４】
また、プリンタユニット２００は、上面に、前記画像形成装置の動作状態又はユーザに対する入力指示等を表示し、表示された動作状態又は入力指示等を見ながらユーザが装置を操作するための操作部４００を備え、内部に、スキャナ部１１０が読み取った原稿の画像データを適宜処理して用紙に画像を形成するプリンタ部２１０、及び該プリンタ部２１０へ給紙すべき用紙を格納する給紙カセット２３０を備え、側面部に、画像を形成された用紙が排出される排紙トレイ２２０を備える。給紙ユニット３００は、前記プリンタ部２１０へ給紙すべき夫々サイズが異なる用紙を格納する給紙カセット３１０，３２０，３３０を備えており、該給紙カセット３１０，３２０，３３０と前記給紙カセット２３０とは、夫々異なるサイズの用紙を格納する。
【０００５】
操作部４００は、ユーザが操作したとき前記画像形成装置が白黒コピーを開始するコピー開始キー部４２１、カラーコピーを開始するコピー開始キー部４２２、コピー枚数又は倍率等を入力するためのテンキー部４２０、及び、タッチパネルを用いてなり、前記画像形成装置の動作状態又はユーザに対する入力指示等を表示し、また、ユーザが装置を操作するために必要なファンクションキーを有する操作画面４１０等を備える。
更に、前記画像形成装置は、現金又はプリペイドカード等でコピー料金を集金する集金装置（図示せず）を備え、例えばＡ４サイズの用紙で白黒コピーを行う場合は単価１０円、カラーコピーを行う場合は単価５０円を集金してコピーサービスを行なうよう構成してある。
【０００６】
図９〜図１１は、夫々前記画像形成装置の操作画面に表示される入力指示の一例を示す拡大図である。
前記画像形成装置が画像形成可能状態であるとき、該画像形成装置は、まず、操作画面４１０に図９のような表示を行ない、ユーザにコピー条件として原稿の種類を選択させる原稿種類選択モードとなる。このとき、操作画面４１０には、原稿の種類を選択するファンクションキーとして、印画紙の写真又はポストカード等をコピーする場合に選択する写真原稿キー部４３１、定型（Ｂ５又はＡ４等）のシート原稿をコピーする場合に選択する定型原稿キー部４３３、及び、本の見開き、又は定型外のシート原稿等をコピーする場合に選択する定型外原稿キー部４３２が表示される。
【０００７】
ユーザが、写真原稿キー部４３１、定型外原稿キー部４３２又は定型原稿キー部４３３を操作し、原稿の種類を入力することによって、プリンタ部２１０は、原稿の種類に応じて画像のコントラストを調整する。
写真原稿キー部４３１、定型外原稿キー部４３２又は定型原稿キー部４３３が操作されたとき、前記画像形成装置は、用紙のサイズ、画像の濃度、画像の倍率、及びコピー枚数等のコピー条件をユーザに選択させるコピー条件選択モードに移行する。該コピー条件選択モードには、用紙のサイズを選択する用紙サイズ選択モードと、画像の濃度を選択する画像濃度選択モードと、画像の倍率を選択する画像倍率選択モードとがある。
【０００８】
前記コピー条件選択モードに移行した場合、前記画像形成装置は、操作画面４１０に図１０のような表示を行なう。操作画面４１０には、画像濃度選択モードのファンクションキーを操作画面４１０に表示するモード切換キー部４４５と、用紙サイズ選択モードに移行するモード切換キー部４４６と、画像倍率選択モードに移行するモード切換キー部４４７とが表示されるが、例えば用紙サイズ選択モードにおいては、ユーザがモード切換キー部４４６を操作した場合であってもモード切換キー部４４６の入力を受け付けず、用紙サイズ選択モードを継続する。
また、操作画面４１０には、コピー枚数が表示される枚数表示部４４９が表示され、ユーザは、枚数表示部４４９を見ながら前記テンキー部４２０を操作することによって、前記画像形成装置にコピー枚数を入力する。コピー枚数を入力したとき、枚数表示部４４９には入力された数値が表示される。
【０００９】
用紙サイズ選択モードのとき、操作画面４１０には、用紙のサイズを選択するファンクションキーとして、Ｂ５、Ａ４、Ｂ４、及びＡ３を夫々選択する用紙サイズキー部４４１，４４２，４４３，４４４と、選択した用紙サイズを決定するためのＯＫキー部４４８とが表示される（図１０参照）。
ユーザは、用紙サイズキー部４４１，４４２，４４３，４４４の何れか一つを操作し、次いで、ＯＫキー部４４８を操作することによって、前記画像形成装置に所要の用紙のサイズを入力する。
ユーザが用紙サイズキー部４４１，４４２，４４３，４４４の何れか一つを操作し、ＯＫキー部４４８を操作していないとき、選択された用紙サイズキー部に対し、選択されていない用紙サイズキー部とは異なる表示が行なわれる。例えば用紙サイズキー部４４２が操作された場合に、ＯＫキー部４４８又は他の用紙サイズキー部４４１，４４３，４４４の何れか一つが操作されるまで、用紙サイズキー部４４２は反転表示される。
【００１０】
ユーザがモード切換キー部４４７を操作した場合、前記画像形成装置は画像倍率選択モードに移行し、操作画面４１０に図１１のような表示を行なう。このとき、操作画面４１０には、画像の倍率を選択するファンクションキーとして、原稿の大きさとコピーされた画像の大きさとを等しくする等倍サイズキー部、１％刻みで倍率を変更するズーム変倍キー部、又は原稿のサイズと画像を形成される用紙のサイズとを選択する用紙変倍キー部等の倍率調節キー部４５１，４５２，４５３，４５４，４５５と、画像の倍率を決定するためのＯＫキー部４５８とが表示される。
ユーザは、倍率調節キー部４５１，４５２，４５３，４５４，４５５又は前記テンキー部４２０を操作し、次いで、ＯＫキー部４５８を操作することによって、前記画像形成装置に画像の倍率を入力する。
【００１１】
以上のような前記画像形成装置を用いて原稿をコピーする場合、ユーザは、原稿搬送部１１２又はスキャナ部１１０に原稿を載置する。
前記画像形成装置は、原稿の種類、用紙のサイズ又は画像の倍率等のコピー条件を入力するよう操作画面４１０を用いてユーザに指示し、テンキー部４２０又はファンクションキーからの入力を受け付ける。
ユーザは、前記コピー条件をテンキー部４２０又はファンクションキーを用いて入力し、次いで、白黒コピーを行なう場合はコピー開始キー部４２１を操作し、カラーコピーを行なう場合はコピー開始キー部４２２を操作する。
【００１２】
コピー開始キー部４２１又はコピー開始キー部４２２が操作されたとき、前記画像形成装置は、前記サイズを有する用紙を格納している給紙カセット（例えば給紙カセット２３０）からプリンタ部２１０へ給紙する。また、スキャナ部１１０で原稿を読み取り、読み取った原稿の画像データをプリンタ部２１０で処理して、形成する画像の倍率又は濃度等を変更し、また、読み取られた原稿の種類に応じてコントラストを調整して、前記用紙に画像を形成する。画像を形成された用紙は、排紙トレイ２２０へ排出される。
なお、所要のサイズの用紙が格納されている給紙カセットをユーザが選択することによって前記給紙カセットに格納されている用紙を給紙するよう構成しても良い。
【００１３】
【発明が解決しようとする課題】
しかしながら、従来の画像形成装置を用いる場合、原稿の種類、用紙のサイズ又は画像の倍率等のコピー条件を、該コピー条件に対応するファンクションキー及びＯＫキー部を操作して入力し、次いで、コピー開始キー部４２１（４２２）を操作するため、各種キー部を操作する回数が多く、また、画像濃度選択モード又は用紙サイズ選択モード等に移行するためのモード切換キー部を操作する必要があるため、操作の手順が煩雑になり、短時間で容易に操作することができないという問題があった。このため、特に画像形成装置の操作に慣れていないユーザは、拡大、縮小、又は濃度の変更等を行わず、原稿のままのイメージでコピーするような単純なコピーを行なう場合であっても、マニュアルを参照しなければならないことがある、又は、他人に操作してもらわなければならないことがある等の問題があった。
【００１４】
特開２０００−１５１８７０号公報には、コピー条件を予めプログラムとして記憶しておき、各プログラムに対応するキー部が操作され、次いで、コピー開始キー部が操作されたとき、前記コピー条件に従って画像を形成するコピーファクシミリ複合機が開示されているが、前記プログラムの内容を知らないユーザは前記キー部を利用することができず、また、ユーザがプログラムの内容を確認する場合、該内容を表示させる操作が必要であり、更に、不特定のユーザが利用する画像形成装置には、各ユーザが必要とするプログラムを予め記憶しておくことができないという問題があった。
【００１５】
特開平１０−３３３５３０号公報には、サイズが異なる複数種類の用紙の夫々に対応するキー部を備え、ユーザが所要のサイズに対応しているキー部を操作したとき、前記サイズの用紙にコピーを行なう複写機が開示されている。
画像形成装置を公共施設又はコンビニエンスストア等に設置する場合、カラーコピー若しくは白黒コピー、用紙のサイズ、又はコピー枚数等によって、一般にコピー料金が変化する。前記複写機は、選択したコピー条件に応じたコピー料金の金額が操作画面に表示されないため、前記複写機を用いる場合、支払うべきコピー料金の金額をユーザが容易に把握することができないという問題があった。
【００１６】
本発明は、斯かる問題を解決するためになされたものであり、第１画像形成条件及び第２画像形成条件で画像の形成を開始するための操作手段を、各第１画像形成条件に対応させて夫々設けてあり、前記操作手段に対応させて料金表示を行なうことにより、ユーザが第１画像形成条件を選択して入力する手順を簡便にして、短時間で容易に操作することができ、また、画像形成条件に応じて支払うべき料金をユーザが容易に把握することができる画像形成装置を提供することを目的とする。
本発明の他の目的は、各操作手段に対し、各第１画像形成条件を表示することにより、第１画像形成条件に対応する操作手段を、ユーザがより容易に選択することができる画像形成装置を提供することにある。
【００１７】
本発明の他の目的は、第２画像形成条件の入力を受け付け、該第２画像形成条件に応じて、料金表示の金額を変更することにより、画像形成条件に応じて支払うべき料金をユーザが容易に把握することができる画像形成装置を提供することにある。
本発明の他の目的は、画像が形成できる場合に第１表示を行ない、画像が形成できない場合に第２表示を行なう手段を、操作手段に対応させて設けることにより、画像が形成できるか否かをユーザが容易に判断することができる画像形成装置を提供することにある。
本発明の他の目的は、タッチパネルを用いてなる操作手段及び表示手段を設けることにより、装置の構成を簡易にすることができる画像形成装置を提供することにある。
【００１８】
本発明の更に他の目的は、第１画像形成条件で画像の形成を開始するための操作手段を、各第１画像形成条件に対応させて夫々設けてあり、画像が形成できる場合に第１表示を行ない、画像が形成できない場合に第２表示を行なう手段を、前記操作手段に対応させて設けることにより、第１画像形成条件を選択して入力する手順を簡便にして、短時間で容易に操作することができ、また、画像が形成できるか否かをユーザが容易に判断することができる画像形成装置を提供することにある。
【００１９】
本発明の更に他の目的は、第１画像形成条件で画像の形成を開始するための操作手段を、各第１画像形成条件に対応させて夫々設けてあり、各操作手段に対し、各第１画像形成条件を表示することにより、ユーザが第１画像形成条件に対応する操作手段をより容易に選択することができ、また、第１画像形成条件を選択して入力する手順を簡便にして、短時間で容易に操作することができる画像形成装置を提供することにある。
【００２０】
【課題を解決するための手段】
本発明に係る画像形成装置は、画像形成条件に従って画像を形成する画像形成装置において、第１画像形成条件、及び第１画像形成条件とは異なる第２画像形成条件で画像の形成を開始するために、前記第２画像形成条件に関連付けられている複数の第１画像形成条件に夫々対応して設けられている操作手段と、該操作手段に対応する位置に夫々設けられ、該操作手段に対応する第１画像形成条件及び前記第２画像形成条件で画像を形成するための料金の金額を表示する表示手段とを備え、前記第２画像形成条件の入力を受け付ける手段と、該入力を受け付けたとき、前記表示手段に表示される金額を、前記第１画像形成条件及び前記入力を受け付ける前の第２画像形成条件で画像を形成するための料金の金額から、前記第１画像形成条件及び入力された第２画像形成条件で画像を形成するための料金の金額へ変更する手段とを更に備え、前記表示手段に金額が表示されている場合に前記操作手段の操作及び前記受け付ける手段による前記入力の受け付けの両方が実行可能にしてあることを特徴とする。
【００２１】
本発明にあっては、複数の第１画像形成条件、及び第２画像形成条件として、例えば、画像を形成する用紙のサイズ、及び該用紙の枚数を用い、用紙サイズ毎に操作手段を設け、該操作手段をユーザが操作したときに、該操作手段に対応しているサイズの用紙を前記枚数用いて画像の形成を開始するため、ユーザが第１画像形成条件を選択して入力する手順を簡便にして、短時間で容易に操作することができる。
また、操作手段毎に表示手段が設けられ、該表示手段に、前記枚数の前記用紙に画像を形成するときの料金の金額を表示するため、画像形成条件に応じて支払うべき料金をユーザが容易に把握することができる。
更に、複数の第１画像形成条件、及び第２画像形成条件として、例えば、画像を形成する用紙のサイズ、及び該用紙の枚数を用い、用紙サイズ毎に操作手段を設け、該操作手段に対して表示手段が設けられ、前記表示手段に、前記枚数の前記用紙に画像を形成するときの料金の金額を表示し、また、前記枚数の入力を受け付け、前記枚数が入力される度に、入力された枚数の前記用紙に画像を形成するときの料金の金額を表示するため、画像形成条件に応じて支払うべき料金をユーザが容易に把握することができる。
【００２２】
本発明に係る画像形成装置は、前記操作手段又は該操作手段の近傍に、該操作手段に対応する第１画像形成条件が表示してあることを特徴とする。
本発明にあっては、複数の第１画像形成条件として、例えば、画像を形成する用紙のサイズを用い、用紙サイズ毎に操作手段を設け、該操作手段に対して用紙サイズが表示してあるため、第１画像形成条件に対応する操作手段を、ユーザがより容易に選択することができる。
また、例えばタッチパネルを用いて操作手段を構成している場合は、操作手段としてタッチパネルに設けられたキー部を用い、該キー部に用紙サイズを表示することができるため、ユーザが第１画像形成条件を見易く、操作し易い。
【００２４】
本発明に係る画像形成装置は、画像形成条件に従って画像を形成できるか否かを判断する手段を備え、該手段が前記第１画像形成条件、前記第２画像形成条件、及び／又は前記第１画像形成条件と前記第２画像形成条件との両方と異なる第３画像形成条件で画像を形成できると判断した場合に第１表示を行ない、前記第１画像形成条件、前記第２画像形成条件、及び／又は前記第３画像形成条件で画像を形成できないと判断した場合に前記第１表示とは異なる第２表示を行なう表示用手段を、前記操作手段に対応させて備えることを特徴とする。
【００２５】
本発明にあっては、複数の第１画像形成条件として、例えば、画像を形成する用紙のサイズを用い、用紙サイズ毎に操作手段を設け、該操作手段に対応させて、例えば緑色又は赤色に発光する表示灯を設け、通常は緑色に発光するよう構成する（第１表示）。また、用紙の有無及びトナーの有無等を判断し、用紙がないときは、該用紙のサイズに対応する操作手段の表示灯が赤色に発光し、トナーがないときは、全ての操作手段の表示灯が赤色に発光するよう構成する（第２表示）。このため、ユーザは、表示灯を見ることによって、該表示灯に対応する操作手段を操作することができるか否か、即ち、該操作手段に対応する画像形成条件で画像を形成することができるか否かを容易に把握することができる。更に、ユーザは、表示灯を見ることによって、どの操作手段を操作することができるのか、即ち、画像を形成することができる画像形成条件を容易に把握することができる。
【００２６】
また、例えばタッチパネルを用いて操作手段を構成している場合は、操作手段として、用紙サイズ毎にキー部を設け、通常は、該キー部をユーザが容易に視認できる第１濃度、又は第１色等で表示する（第１表示）。用紙切れ又はトナー切れ等で画像が形成できないときは、前記キー部を第１濃度より薄い第２濃度で表示する、若しくは前記キー部を表示しない等、ユーザが容易に視認できないように表示する（第２表示）。又は、前記キー部を前記第１色とは異なる第２色で表示する、若しくは前記キー部を反転表示する等、第１表示とは異なる表示であることをユーザが容易に視認できるように表示する（第２表示）。このため、ユーザは、キー部が表示されているか否か、又は、どのように表示されているかを見ることによって、前記キー部を操作することができるか否か、即ち、該キー部に対応する画像形成条件で画像を形成することができるか否かを容易に把握することができる。また、ユーザは、キー部が表示されているか否か、又は、どのように表示されているかを見ることによって、どのキー部を操作することができるのか、即ち、画像を形成することができる画像形成条件を容易に把握することができる。
【００２７】
更に、画像が形成できないときに、何故画像を形成することができないのか、又は、画像を形成するためにはどうしたら良いのかを表示する場合は、画像が形成できない画像形成条件を所望しているユーザに対し、該画像形成条件で画像を形成する方法を報知することができるため、ユーザが、装置の扱いに慣れていない場合であっても、該装置を用いて容易に画像を形成することができる。
【００２８】
本発明に係る画像形成装置は、前記操作手段及び前記表示手段はタッチパネルを用いて構成してあることを特徴とする。
本発明にあっては、ユーザが装置を操作するための操作手段と、料金の金額を表示する表示部とを、タッチパネルを用いて構成することができるため、操作手段及び表示手段の構成を簡易にすることができる。
また、前記操作手段及び前記表示部と、装置の動作状態又はユーザに対する入力指示等を表示する表示部とを、タッチパネルを用いて構成することができるため、装置の構成を簡易にすることができる。
また、操作手段に対して第１画像形成条件を表示する場合は、操作手段をタッチパネルのキー部として構成し、該キー部に第１画像形成条件を表示することができるため、ユーザが第１画像形成条件を見易く、操作し易い。
【００２９】
更に、操作手段に対応させて、画像が形成できる場合に第１表示を行ない、画像が形成できない場合に第２表示を行なう手段を設けるときは、操作手段をタッチパネルのキー部として構成し、画像が形成できるか否かによって、前記キー部の表示の様態を変更するよう構成できるため、簡易な構成で容易に第１表示又は第２表示を行なうことができる。
【００３５】
【発明の実施の形態】
以下、本発明をその実施の形態を示す図面に基づいて詳述する。本実施の形態においては、本発明の画像形成装置を、デジタルカラーコピー機に適用した場合について説明するが、これに限らずファクシミリ装置、プリンタ装置、コピー機、又はこれらの複合機であっても良い。また、前記デジタルカラーコピー機は、原稿から読み取った画像データを、原稿のままのイメージでコピーするそのままコピーモードと、拡大、縮小、濃度の変更、又は１枚に２ページコピー等、前記画像データを編集してコピーする編集コピーモードとを有する。
【００３６】
図１は、本発明に係る画像形成装置の模式的正面図である。
画像形成装置は、本体部２１１、給紙ユニット３００、原稿搬送部１１２、及び集金装置６００を備え、給紙ユニット３００上に本体部２１１が配置され、該本体部２１１上に原稿搬送部１１２が配置されている。原稿搬送部１１２、本体部２１１及び給紙ユニット３００と集金装置６００とは別体に設けられ、該原稿搬送部１１２、本体部２１１及び給紙ユニット３００と集金装置６００とは、コピーサービスを行なう店舗又は施設等（コンビニエンスストア又は図書館等）の床面に並置されている。
【００３７】
本体部２１１は、コピーすべき原稿が載置されたとき該原稿の読み取りを行なうスキャナ部１１０と、タッチパネルを用いてなり、前記画像形成装置の動作状態又はユーザに対する入力指示等を表示し、表示された動作状態又は入力指示等を見ながらユーザが装置を操作するための操作画面１５２を有する操作パネル１５０と、プリンタユニット２００とを備える。該プリンタユニット２００上にスキャナ部１１０が配置され、該スキャナ部１１０上に原稿搬送部１１２が配置されている。操作パネル１５０は、スキャナ部１１０及びプリンタユニット２００とは別体に設けられ、スキャナ部１１０の側部に設けられている支持腕１５３によって支持されている。
【００３８】
プリンタユニット２００は、スキャナ部１１０が読み取った原稿の画像データを適宜処理して用紙に画像を形成するプリンタ部２１０、及び該プリンタ部２１０へ給紙すべきＢ５の用紙を格納するＢ５給紙カセット２３１等を内部に備え、一側面部に、プリンタ部２１０へ給紙すべき用紙（例えば葉書）を載置する給紙トレイ２４１を備え、他側面部に、画像を形成された用紙が排出される排紙トレイ２２０を備える。
給紙ユニット３００は、内部に格納した用紙をプリンタ部２１０へ給紙すべく、Ａ４の用紙を格納するＡ４給紙カセット３１１、Ｂ４の用紙を格納するＢ４給紙カセット３２１、及びＡ３の用紙を格納するＡ３給紙カセット３３１等を備える。
【００３９】
原稿搬送部１１２は、１枚又は複数枚のシート状の原稿をユーザによって載置され、スキャナ部１１０へ、前記原稿を自動的に順次送り込み、また、読み取りが終了した原稿をスキャナ部１１０から除去する。
集金装置６００は、配線６０１によって本体部２１１に接続されており、現金又は所定のプリペイドカード等をユーザによって投入され、コピーを行う度に所定の料金を徴収する。
【００４０】
図２は、前記画像形成装置のブロック図である。
図中２６０は制御部であり、制御部２６０は、ＲＯＭ２６１及びＲＡＭ２６２等の装置各部に接続されている。制御部２６０は、ＲＯＭ２６１に格納された制御プログラム及びデータに従って前記装置各部を制御し、また、ユーザによって操作画面１５２から入力された画像の色、倍率、若しくは濃度等、又は、画像を形成する用紙のサイズ若しくは枚数等のコピー条件をＲＡＭ２６２に記憶し、該コピー条件及び／又は前記ＲＯＭ２６１に格納されているデフォルトのコピー条件に従って、原稿のコピーを実行する。このとき発生するデータは、ＲＡＭ２６２に記憶される。
【００４１】
原稿搬送部１１２は、制御部２６０に接続される図示しない原稿搬送制御部を備え、該原稿搬送制御部は、制御部２６０と互いにタイミング制御を行ない、原稿搬送部１１２の図示しない各部を制御して、該原稿搬送部１１２に載置された原稿を所定のタイミングでスキャナ部１１０へ送り込み、また、スキャナ１１０が原稿を読み取った後で、該原稿をスキャナ部１１０から除去する。
【００４２】
集金装置６００は、図示しない集金装置制御部、及び現金又はプリペイドカード等を投入する料金投入口等を備える。前記集金装置制御部は制御部２６０に接続されており、前記料金投入口に投入された料金の金額を判別して該金額に対応する金額信号を制御部２６０へ送信する。制御部２６０は、原稿のコピーを実施したときに、該コピーに対して徴収すべき料金を判別して該料金に対応する料金信号を前記集金装置制御部へ送信する。該料金信号を受信したとき、前記集金装置制御部は、前記料金投入口に投入された現金又はプリペイドカード等から前記料金を徴収し、残金を算出して該残金に対応する金額信号を制御部２６０へ送信する。
前記画像形成装置は、図示しない電源に接続され、また、前記料金投入口に、予め定められた金額以上の現金又はプリペイドカード等が投入されたとき、画像形成可能状態になるよう構成されている。
【００４３】
給紙部２７０は、制御部２６０に接続されて該制御部２６０と互いにタイミング制御を行なう給紙制御部２７１及び図示しないモータ等を備え、前記給紙制御部２７１は、前記モータを駆動させ、また、前記給紙トレイ２４１及び前記Ｂ５給紙カセット２３１を有するプリンタユニット２００側の用紙搬送部２３２、並びに、前記Ａ４給紙カセット３１１、前記Ｂ４給紙カセット３２１、及び前記Ａ３給紙カセット３３１を有する給紙ユニット３００側の用紙搬送部３１２を制御して、給紙トレイ２４１又は各給紙カセットに載置又は格納された用紙をプリンタ部２１０へ搬送し、プリンタ部２１０で画像を形成された用紙を搬送して排紙トレイ２２０へ排出する。また、給紙部２７０は、給紙トレイ２４１、Ｂ５給紙カセット２３１、Ａ４給紙カセット３１１、Ｂ４給紙カセット３２１、及びＡ３給紙カセット３３１の用紙の有無を夫々検出して、給紙トレイ２４１上又は給紙カセット内の用紙がないときは、制御部２６０へ前記用紙がないことを報せる制御信号（用紙切れ信号）を送信する。例えばＢ５給紙カセット２３１内の用紙がなくなったときは、制御部２６０へＢ５用紙切れ信号を送信し、給紙トレイ２４１上に用紙（例えば葉書）が載置されていないときは、制御部２６０へ給紙トレイ用紙切れ信号を送信する。
【００４４】
画像処理制御部２５０は、制御部２６０に接続されて互いにタイミング制御を行ない、また、スキャナ部１１０及びプリンタ部２１０に相当する本体部２１１の各部とに接続されて該各部を制御する。
【００４５】
画像処理制御部２５０は、３ラインのカラーＣＣＤを用いてなり、原稿搬送部１１２又はユーザによって、前記スキャナ部１１０の図示しない原稿台に載置された白黒原稿又はカラー原稿を読み取り、ＲＧＢの色成分に色分解したラインデータを出力するＣＣＤ１１６、及び、該ＣＣＤ１１６に接続され、該ＣＣＤ１１６で読み取ったラインデータを処理して、２４ビットの画像データをシリアル出力するスキャナＡＳＩＣ１１７に接続されている。該スキャナＡＳＩＣ１１７は、前記ラインデータのライン画像レベルを補正するシェーディング補正部、前記ラインデータのズレを補正するラインバッファ等のライン合わせ部、前記ラインデータの各色成分のデータを補正するセンサ色補正部、各画素の信号の変化にめりはりを持たせるよう補正するＭＲＦ補正部、及び画像の明暗を補正して視感度補正を行なうγ補正部等を有する。
【００４６】
また、画像処理制御部２５０は、ＲＡＭを用いてなり、スキャナＡＳＩＣ１１７に接続され、該スキャナＡＳＩＣ１１７からシリアル出力される画像データを順次受け取ってバッファに一時的に記憶し、８ビット３色の画像データに変換して各色毎に格納するＲＧＢ画像メモリ１１８、及び、該ＲＧＢ画像メモリ１１８に接続され、画像処理制御部２５０によって前記ＲＧＢ画像メモリから読み出された前記画像データを受け取って処理し、３２ビットの画像データをシリアル出力するプリンタＡＳＩＣ１１９に接続されている。該プリンタＡＳＩＣ１１９は、ＲＧＢのカラーデータである前記画像データを処理してモノクロデータを生成するモノクロデータ生成部、前記画像データを、前記本体部２１１が備える各ＬＳＵ（レーザスキャナユニット）に対応したＹＭＣのカラーデータに変換し、またクロック変換する入力処理部、前記画像データが文字部であるか網点写真であるか印画紙写真であるか等を判断して夫々を分離する領域分離部、前記ＹＭＣのカラーデータに基づいて下色除去処理を行ない、Ｋのカラーデータを生成する黒生成部、各色変換テーブル、該色変換テーブルに基づいて前記画像データの各色成分のデータを調整する色補正回路部、ＲＡＭ２６２に記憶されているコピー条件に基づいて前記画像データを倍率変換するズーム処理回路部、並びに、空間フィルタ、多値誤差拡散、多値ディザ等の階調性を表現するための中間調処理部等を有する。
【００４７】
更に、画像処理制御部２５０は、ＲＡＭを用いてなり、プリンタＡＳＩＣ１１９に接続され、該プリンタＡＳＩＣ１１９からシリアル出力される画像データを順次受け取ってバッファに一時的に記憶し、８ビット４色の画像データに変換して各色毎に格納するＣＭＹＫ画像メモリ１２０に接続されている。該ＣＭＹＫ画像メモリ１２０は、複数の画像を合成するための画像合成メモリを有し、前記ＬＳＵに接続されている。該ＬＳＵは、ブラックＬＳＵ２４０ａ、シアンＬＳＵ２４０ｂ、イエローＬＳＵ２４０ｃ、及びマゼンタＬＳＵ２４０ｄである。
【００４８】
画像処理制御部２５０は、ＣＭＹＫ画像メモリ１２０から読み取った画像データをプリンタ部２１０へ送る場合、前記ＬＳＵの位置が夫々異なるため、ＣＭＹＫ画像メモリ１２０を遅延バッファメモリとして用いて該ＣＭＹＫ画像メモリ１２０から前記画像データを読み取る時間をずらし、各色成分の画像データを各ＬＳＵへ夫々送るタイミングを合わせることによって、色ずれを防止する。
【００４９】
ブラックＬＳＵ２４０ａ、シアンＬＳＵ２４０ｂ、イエローＬＳＵ２４０ｃ、及びマゼンタＬＳＵ２４０ｄは、画像処理制御部２５０によってＣＭＹＫ画像メモリ１２０から各色成分毎に読み出された画像データに基づいてパルス幅変調を行ない、パルス幅変調信号を出力するレーザコントロールユニット、及び該レーザコントロールユニットから出力されたパルス幅変調信号に基づいてレーザ記録を行なうレーザスキャナユニットを夫々有する。公知の技術により、画像処理制御部２５０は、前記画像データを受け取って、プリンタ部２１０に備えられている感光体（図示せず）へ露光するレーザ光に変換し、該レーザ光を用いて前記感光体に静電潜像を形成し、次いで、該静電潜像を、給紙部２７０によって搬送された用紙にトナーを用いて転写し、画像を形成する。
【００５０】
操作パネル１５０は、制御部２６０に接続された操作パネル制御部１５１及び前記操作画面１５２を備えるユーザインターフェイスであり、操作パネル制御部１５１は、制御部２６０との間で制御信号を送受信し、該制御信号に応じて、操作画面１５２に、所定の表示を行なう表示部と、ユーザが所定の内容を入力するときに操作するキー部とを設ける。例えば、制御部２６０は、給紙制御部２７１から受信した用紙切れ信号に対応する制御信号を操作パネル制御部１５１へ送信し、該操作パネル１５１は、前記制御信号を受信したとき、該制御信号に応じて、所定の表示部又はキー部を表示、変更、又は消去する。また、制御部２６０は、集金装置６００から受信した金額信号と、操作パネル１５１からコピー枚数に関する制御信号と、ＲＯＭ２６１に格納されているコピーの単価とを用いて、コピー可能な料金が集金装置６００に投入されているか否かを判断し、投入されていない場合は、料金不足信号を操作パネル制御部１５１へ送信し、該操作パネル１５１は、前記料金不足信号を受信したとき、該制御信号に応じて、所定の表示部又はキー部を表示、変更、又は消去する。
【００５１】
各キー部は、該キー部に対応する動作が実行可能である場合、該キー部がユーザによって操作されたとき、該キー部に割り当てられた制御信号を操作パネル制御部１５１へ送信し、前記動作が実行不可能である場合、前記キー部がユーザによって操作されたときであっても、前記制御信号を送信しないよう前記操作パネル制御部１５１によって構成される。例えば、コピーを開始するためのコピー開始キー部は、前記画像形成装置がコピーを実行することが可能である場合、前記コピー開始キー部がユーザによって操作されたとき、コピー開始信号を操作パネル制御部１５１へ送信する（操作可能状態）。前記画像形成装置が、用紙切れ又は料金不足等でコピーを実行することが不可能である場合は、前記コピー開始キー部がユーザによって操作されたときであっても、コピー開始信号は送信されない（操作不能状態）。
【００５２】
各キー部が操作されたとき、操作パネル制御部１５１は、前記キー部に対応する制御信号又はデータ等を制御部２６０へ送信し、制御部２６０は、前記制御信号又はデータ等をＲＡＭ２６２に記憶する。
【００５３】
図３〜図６は、夫々前記そのままコピーモードの場合に前記画像形成装置の操作パネルの操作画面に表示される入力指示の一例を示す拡大図である。以下、前記画像形成装置は、画像形成可能状態にあるとする。
図中１５２は、タッチパネルを用いてなる操作画面であり、該操作画面１５２が前記操作パネル制御部１５１に制御されることによって、操作画面１５２にはキー部５１０及びキー部５５０が設けられる。キー部５５０が操作されたとき、前記編集コピーモードに移行する制御信号を操作パネル制御部１５１へ送信する。キー部５１０が操作されたときは、制御信号を送信せず、前記そのままコピーモードを続行するが、前記編集コピーモードに移行した場合にキー部５１０が操作されたときは、前記そのままコピーモードに移行する制御信号を送信する。
【００５４】
操作パネル制御部１５１は、集金装置６００に投入された現金又はプリペイドカード等の金額又は残金に対応する金額信号を制御部２６０から受信し、操作画面１５２を制御して、前記金額信号に対応する金額を表示する表示部５３０を設ける。
【００５５】
また、操作パネル制御部１５１は、原稿をコピーする枚数を表示する表示部５４０、前記枚数を１枚増やすキー部５４１及び前記枚数を１枚減らすキー部５４２を操作画面１５２に設け、まず、表示部５４０に「１枚」と表示し、キー部５４１を、ユーザが視認しやすい第１濃度で表示し、キー部５４２を、第１濃度より薄く、ユーザが視認しにくい第２濃度で表示する（図３）。この場合、キー部５４２が操作されたときは、制御信号を送信しないが、キー部５４１が操作されたときは、該キー部５４１が前記枚数を１枚増やすための制御信号を操作パネル制御部１５１へ送信し、前記信号を受信した操作パネル制御部１５１は、表示部５４０に「２枚」と表示し、また、キー部５４２を第１濃度で表示して、該キー部５４２が操作されたときに前記枚数を１枚減らすための制御信号を送信するように変更する（図４参照）。
【００５６】
更に、操作パネル制御部１５１は、所定のコピー条件及び前記枚数でコピーを実行するコピー開始キー部（キー部５１１ａ，５１２ａ，５１３ａ，５１４ａ，５１５ａ，５２１ａ，５２２ａ，５２３ａ，５２４ａ，５２５ａ）と、該コピー開始キー部の下側に表示され、前記コピーを実行する場合に要する料金の金額を表示する料金表示部（表示部５１１ｂ，５１２ｂ，５１３ｂ，５１４ｂ，５１５ｂ，５２１ｂ，５２２ｂ，５２３ｂ，５２４ｂ，５２５ｂ）と、料金不足又は用紙切れ等で前記コピーが実行不可能であるときに、該コピーが実行不可能である理由又は該コピーを実行可能にする方法等を表示するコピー不可能表示部（図５の表示部５１４ｃ，５１５ｃ、図６の表示部５１５ｃ，５２５ｃ）との組を、前記所定のコピー条件の種類数（フルカラー又は白黒と、葉書、Ｂ５、Ａ４、Ｂ４、又はＡ３の用紙サイズとの組合せで１０種類）操作画面１５２に設ける。各コピー開始キー部には、対応するコピー条件が表示してある（例えばキー部５１１ａには「フルカラー」及び「はがき」と表示され、キー部５２３ａには「白黒」及び「Ａ４」と表示される）。
【００５７】
コピー開始キー部が操作された場合、操作パネル制御部１５１は、該コピー開始キー部に対応するコピー条件（フルカラー又は白黒、及び用紙サイズ）と、前記枚数とを制御信号として制御部２６０へ送信する。該制御部２６０が前記制御信号を受信したとき、前記画像形成装置は前記コピー条件及び枚数に従い、前記コピー条件及び枚数以外のコピー条件をＲＯＭ２６１から読み出して、コピーを実行する。
【００５８】
操作パネル制御部１５１は、コピー開始キー部と料金表示部とを、通常、前記第１濃度で表示し、このときコピー開始不可能表示部は表示しない。また、料金不足又は用紙切れ等でコピーが実行不可能である場合は、前記コピーに対応するコピー開始キー部と料金表示部とを前記第２濃度で表示して、ユーザが視認しにくくなるようにし、コピー不可能表示部を前記第１濃度で表示する。
【００５９】
例えばキー部５１４ａはフルカラーでＢ４の用紙にコピーを開始するとき操作するためのキー部であり、表示部５４０に「１枚」と表示している場合、操作パネル制御部１５１は、表示部５１４ｂに前記コピーの単価「￥１００」を表示し（図３）、表示部５４０に「２枚」と表示している場合は表示部５１４ｂに前記コピー２枚分の料金「￥２００」を表示する（図４）。料金不足の場合は、キー部５１４ａ及び表示部５１４ｂを第２濃度で薄く表示し、該キー部５１４ａ及び表示部５１４ｂに上書きするようにして表示部５１４ｃを第１濃度で「！金額が足りません」と表示し（図５）、用紙切れの場合は、表示部５１４ｃに「！用紙をセットしてください」と表示する。
【００６０】
以上のような画像形成装置を用いる場合、ユーザは、まず集金装置６００に現金又はプリペイドカード等を投入する。
集金装置６００に２００円投入したとき、操作画面１５２には、図３のような画面が表示される。ユーザは、編集コピーを行う場合はキー部５５０を操作するが、そのままコピーモードでコピーを行なう場合はキー部５１０又はキー部５５０を操作しない。
Ａ３のシートの原稿を、そのままコピーモードで、１枚、フルカラーでコピーする場合、ユーザは、前記原稿をスキャナ部１１０又は原稿搬送部１１２に載置し、操作画面１５２を見て、「フルカラー」「Ａ３」と表示されているキー部を探し、該キー部（キー部５１５ａ）を操作する。このとき、キー部５１５ａの下側に表示されている表示部５１５ｂを見ることにより、ユーザは、前記コピーを行なう場合に要する料金（￥１００）を容易に把握することができる。ユーザがキー部５１５ａを操作したとき、前記原稿が１枚、フルカラーでコピーされる。
【００６１】
前記原稿を２枚コピーする場合、ユーザは表示部５４０を見ながらキー部５４１を１回操作する。このとき、操作画面１５２には、図４のような画面が表示され、ユーザは、表示部５１５ｂを見ることにより、前記コピーを行なう場合に要する料金（￥２００）を容易に把握することができる。ユーザがキー部５１５ａを操作したとき、前記原稿が２枚、フルカラーでコピーされる。
【００６２】
集金装置６００に投入した金額の残金が１００円である場合、前記原稿を２枚コピーするためユーザが表示部５４０を見ながらキー部５４１を１回操作したとき、操作画面１５２には、図５のような画面が表示される。このとき、キー部５１５ａと表示部５１５ｂとは前記第２濃度で薄く表示され、該キー部５１５ａと表示部５１５ｂとに上書きするようにして、表示部５１５ｃが前記第１濃度で表示される。ユーザは、キー部５１５ａと表示部５１５ｂとが薄く表示されることによってコピーできないことを容易に把握し、表示部５１５ｃの「！金額が足りません」という表示を見ることによって、何故コピーできないかを容易に把握することができる。
【００６３】
集金装置６００に２００円投入したとき、Ａ３用紙がない場合は、操作画面１５２に図６のような画面が表示される。このとき、キー部５１５ａと表示部５１５ｂとは前記第２濃度で薄く表示され、該キー部５１５ａと表示部５１５ｂとに上書きするようにして、表示部５１５ｃが前記第１濃度で表示される。ユーザは、キー部５１５ａと表示部５１５ｂとが薄く表示されることによってコピーできないことを容易に把握し、表示部５１５ｃの「！用紙をセットしてください」という表示を見ることによって、どうすればコピーできるかを容易に把握することができる。
【００６４】
以上のような画像形成装置は、ユーザが、フルカラーコピー又は白黒コピーを選択する操作と、葉書、Ｂ５、Ａ４、Ｂ４、又はＡ３の用紙サイズを選択する操作とを、キー部５１１ａ，５１２ａ，…，５２５ａのコピー開始キー部の何れかを選択する操作として行うことができるため、操作の手順が簡便であり、短時間で容易に操作することができる。また、前記コピー開始キー部に割り当てられているコピー条件は、フルカラー又は白黒、及び用紙サイズの組合せであり、該コピー条件を各コピー開始キー部に表示することによって、ユーザは、各コピー開始キー部に割り当てられているコピー条件を容易に把握することができる。このため、画像形成装置の操作に慣れていないユーザであっても、特に、原稿のままのイメージでコピーする場合は、容易に操作して所望のコピーを行なうことができる。
【００６５】
なお、本実施の形態においては、タッチパネルを用いて操作パネル１５０を構成し、各キー部及び表示部をソフト的に（例えばアイコンとして）設けているが、各キー部及び表示部を、ハード的に設けても良い。
また、テンキーを設けて、該テンキーで原稿をコピーする枚数を入力するよう構成しても良い。
更に、操作可能状態のキー部を第１濃度で表示し、操作不能状態のキー部を第２濃度で表示して区別する場合だけでなく、キー部を反転表示する、キー部の色を変更する、又は、キー部を表示しない等で区別しても良い。
【００６６】
【発明の効果】
本発明の画像形成装置によれば、複数の第１画像形成条件毎に操作手段を設け、該操作手段をユーザが操作したときに、該操作手段に対応している第１画像形成条件、及び第２画像形成条件で画像の形成を開始するため、ユーザが第１画像形成条件を選択して入力する手順を簡便にして、短時間で容易に操作することができる。また、操作手段毎に表示手段が設けられ、該表示手段に、前記第１画像形成条件及び前記第２画像形成条件で画像を形成するときの料金の金額を表示するため、画像形成条件に応じて支払うべき料金をユーザが容易に把握することができる。
また、第１画像形成条件毎に操作手段を設け、該操作手段に対して第１画像形成条件が表示してあるため、第１画像形成条件に対応する操作手段を、ユーザがより容易に選択することができる。
【００６７】
また、第１画像形成条件毎に操作手段を設け、該操作手段に対して表示手段が設けられ、前記表示手段に、前記第１画像形成条件及び第２画像形成条件で画像を形成するときの料金の金額を表示し、また、第２画像形成条件の入力を受け付け、第２画像形成条件が入力される度に、前記第１画像形成条件及び入力された第２画像形成条件で画像を形成するときの料金の金額を表示するため、画像形成条件に応じて支払うべき料金をユーザが容易に把握することができる。
【００６８】
また、第１画像形成条件毎に操作手段を設け、該操作手段に対応させて表示手段を設け、通常は第１表示を行なうよう構成する。また、第１画像形成条件及び他の画像形成条件で画像を形成できるか否かを判断し、第１画像形成条件で画像が形成できない場合は、該第１画像形成条件に対応する前記表示手段が第２表示を行ない、他の画像形成条件で画像が形成できない場合は、該画像形成条件に関する全ての前記表示手段が第２表示を行なうよう構成する。このため、ユーザは、前記表示手段を見ることによって、該表示手段に対応する操作手段を操作することができるか否か、即ち、該操作手段に対応する画像形成条件で画像を形成することができるか否かを容易に把握することができる。更にユーザは、前記表示手段を見ることによって、どの操作手段を操作することができるのか、即ち、画像を形成することができる画像形成条件を容易に把握することができる。
【００６９】
また、ユーザが装置を操作するための操作手段と、料金の金額を表示する表示部とを、タッチパネルを用いて構成するため、操作手段及び表示手段の構成を簡易にすることができる。また、前記操作手段及び前記表示部と、装置の動作状態又はユーザに対する入力指示等を表示する表示部とを、タッチパネルを用いて構成するため、装置の構成を簡易にすることができる。
【００７０】
また、本発明の画像形成装置によれば、第１画像形成条件で画像の形成を開始するための操作手段を、各第１画像形成条件に対応させて夫々設け、該操作手段をユーザが操作したときに、該操作手段に対応している第１画像形成条件で画像の形成を開始する。また、前記操作手段に対応させて表示手段を設け、通常は第１表示を行なうよう構成する。また、第１画像形成条件及び他の画像形成条件で画像を形成できるか否かを判断し、第１画像形成条件で画像が形成できない場合は、該第１画像形成条件に対応する前記表示手段が第２表示を行ない、他の画像形成条件で画像が形成できない場合は、該画像形成条件に関する全ての前記表示手段が第２表示を行なうよう構成する。このため、第１画像形成条件を選択して入力する手順を簡便にして、短時間で容易に操作することができ、また、画像が形成できるか否かをユーザが容易に判断することができる。
【００７１】
更に、本発明の画像形成装置によれば、第１画像形成条件で画像の形成を開始するための操作手段を、各第１画像形成条件に対応させて夫々設けてあり、該操作手段をユーザが操作したときに、該操作手段に対応している第１画像形成条件で画像の形成を開始する。また、各操作手段に対して各第１画像形成条件を表示してあるため、ユーザが第１画像形成条件に対応する操作手段をより容易に選択することができ、また、第１画像形成条件を選択して入力する手順を簡便にして、短時間で容易に操作することができる等、本発明は優れた効果を奏する。
【図面の簡単な説明】
【図１】本発明に係る画像形成装置の模式的正面図である。
【図２】本発明に係る画像形成装置のブロック図である。
【図３】本発明に係る画像形成装置の操作パネルの操作画面に表示される入力指示の一例を示す拡大図である。
【図４】本発明に係る画像形成装置の操作パネルの操作画面に表示される入力指示の一例を示す拡大図である。
【図５】本発明に係る画像形成装置の操作パネルの操作画面に表示される入力指示の一例を示す拡大図である。
【図６】本発明に係る画像形成装置の操作パネルの操作画面に表示される入力指示の一例を示す拡大図である。
【図７】従来の画像形成装置の模式的正面図である。
【図８】従来の画像形成装置の操作部の拡大図である。
【図９】従来の画像形成装置の操作画面に表示される入力指示の一例を示す拡大図である。
【図１０】従来の画像形成装置の操作画面に表示される入力指示の一例を示す拡大図である。
【図１１】従来の画像形成装置の操作画面に表示される入力指示の一例を示す拡大図である。
【符号の説明】
１５２  操作画面
５１１ａ，５１２ａ，…，５１５ａ  キー部
５１１ｂ，５１２ｂ，…，５１５ｂ  表示部
５２１ａ，５２２ａ，…，５２５ａ  キー部
５２１ｂ，５２２ｂ，…，５２５ｂ  表示部
【図１】
0004141130.tif 000002
【図２】
0004141130.tif 000003
【図３】
0004141130.tif 000004
【図４】
0004141130.tif 000005
【図５】
0004141130.tif 000006
【図６】
0004141130.tif 000007
【図７】
0004141130.tif 000008
【図８】
0004141130.tif 000009
【図９】
0004141130.tif 000010
【図１０】
0004141130.tif 000011
【図１１】
0004141130.tif 000012